(57)【要約】【課題】視認性のよい表示部を有した浴室リモコン装置を提供する。【解決手段】ケース部８から露出して設けられ、入浴状況あるいは機器状態を点灯により表示する点灯表示部１４を備え、前記点灯表示部１４は、発光部１６とその前面に配置された透明または半透明の導光部材１７により構成され、少なくとも前面側と下方側に対して前記導光部材１７の透光面１８が露出し、前記ケース部８の前記点灯表示部１４の下辺に隣接する辺部には、その上奥から下手前に傾斜した傾斜面部１９が設けられ、前記導光部材１７の下方側に露出した前記透光面１８からの光を該傾斜面部１９で前方側へ反射させるようにした。【選択図】図２
2019120413.tif 000002
【特許請求の範囲】
【請求項１】
設定温度を表示するメイン表示部と、前記設定温度を変更操作するための操作スイッチ部と、外殻を形成するケース部と、ケース部から露出して設けられ、入浴状況あるいは機器状態を点灯により表示する点灯表示部と、を備え、前記点灯表示部は、発光部とその前面に配置された透明または半透明の導光部材により構成され、少なくとも前面側と下方側に対して前記導光部材の透光面が露出し、前記ケース部の前記点灯表示部の下辺に隣接する辺部には、その上奥から下手前に傾斜した傾斜面部が設けられ、前記導光部材の下方側に露出した前記透光面からの光を該傾斜面部で前方側へ反射させるようにしたことを特徴とする浴室リモコン装置。
【請求項２】
前記ケース部には、前記操作スイッチ部を覆い隠すと共に、下側を軸として開閉可能なフタ部が設けられ、前記点灯表示部は、前記フタ部の上部に隣接して配置されていると共に、前記傾斜面部は、前記フタ部の上辺に、その上奥から下手前に傾斜するように設けられていることを特徴とする請求項１記載の浴室リモコン装置。
【発明の詳細な説明】
【技術分野】
【０００１】
本発明は、浴室に設置され、給湯機等の住宅設備機器を操作するための浴室リモコン装置に関するものである。
【背景技術】
【０００２】
従来よりこの種の浴室リモコン装置においては、設定温度等の給湯機本体の状態を表示するメイン表示部と、設定温度を変更したり、給湯機本体へふろ湯はり指示を行ったりする複数の操作スイッチ部と、外殻を形成するケース部とを有し、操作スイッチ部にはスイッチの操作状態を示すランプ表示部が設けられているものがあった。
【先行技術文献】
【特許文献】
【０００３】
【特許文献１】特開２０１０−１８１１００号公報（図２）
【発明の概要】
【発明が解決しようとする課題】
【０００４】
ところが、このような従来の浴室リモコン装置では、多様な情報を表示できるメイン表示部があるものの、表示内容が変わっても、表示中の一部の領域の情報が変更されるのみで、情報が多数の情報に埋もれてしまうことがあり、もっとわかりやすく情報を伝えられる浴室リモコン装置が求められていた。
【０００５】
また、浴室リモコン装置は、入浴者が浴室の洗い場床に立った状態の高い視点からの視認性と、入浴者が浴槽に深く入浴した状態の低い視点からの視認性について、更なる向上が求められていた。
【課題を解決するための手段】
【０００６】
そこで、本発明は上記課題を解決するために、設定温度を表示するメイン表示部と、前記設定温度を変更操作するための操作スイッチ部と、外殻を形成するケース部と、ケース部から露出して設けられ、入浴状況あるいは機器状態を点灯により表示する点灯表示部と、を備え、前記点灯表示部は、発光部とその前面に配置された透明または半透明の導光部材により構成され、少なくとも前面側と下方側に対して前記導光部材の透光面が露出し、前記ケース部の前記点灯表示部の下辺に隣接する辺部には、その上奥から下手前に傾斜した傾斜面部が設けられ、前記導光部材の下方側に露出した前記透光面からの光を該傾斜面部で前方側へ反射させるようにした。
【０００７】
また、前記ケース部には、前記操作スイッチ部を覆い隠すと共に、下側を軸として開閉可能なフタ部が設けられ、前記点灯表示部は、前記フタ部の上部に隣接して配置されていると共に、前記傾斜面部は、前記フタ部の上辺に、その上奥から下手前に傾斜するように設けた。
【発明の効果】
【０００８】
本発明によれば、メイン表示部とは別に情報を伝達するための点灯表示部が設けられていると共に、点灯表示部の導光部材の下側に隣接して傾斜面部が位置しているので、点灯表示部の導光部材の正面側の光に加えて、導光部材の下側の光が傾斜面部に反射して光が広がるので、発光していると見なせる面積が広がり、入浴者が浴室の洗い場床に立った状態の高い視点からの視認性と、入浴者が浴槽に深く入浴した状態の低い視点からの視認性の両方を同時に向上させることができる。
【０００９】
複数の操作スイッチ部がフタ部に隠れるため、より一層点灯表示部からの表示が際だち、視認性を更に向上させることができる。
【図面の簡単な説明】
【００１０】
【図１】本発明の浴室リモコン装置が用いられる給湯機の概略説明図
【図２】本発明の浴室リモコン装置の斜視図
【図３】本発明の浴室リモコン装置の断面図
【図４】本発明の作動を説明するためのフローチャート
【発明を実施するための形態】
【００１１】
次に、本発明の一実施形態を図面に基づいて説明する。
１は住宅設備機器としての給湯機、２は家屋の浴室、３は浴槽、４は浴槽３から入浴者が操作できる高さに配置された給湯機１の浴室リモコン装置、５は台所等の浴室外に設けられた給湯機１の台所リモコン装置、６は給湯機１と浴槽３とを浴槽水が循環可能に接続するふろ循環回路である。
【００１２】
給湯機１は、ふろへの湯はり機能と、追い焚き機能を有しており、ふろ循環回路６途中に備えた水位センサ７により、浴槽３内の水位を検出可能としている。
【００１３】
浴室リモコン装置４は、図２の斜視図に示すように、外殻を構成するケース部８と、その中央上部に設定温度等の給湯機１本体の設定状態や動作状態を表示する７セグや文字等の固定キャラクタの液晶表示からなるメイン表示部９と、メイン表示部９の両脇に配置され、ふろ自動運転等の予め決まった動作を行わせる複数のメインスイッチ１０と、リモコン本体の下半分位置に設けられ、設定温度を変更するための操作スイッチ部１１と、この操作スイッチ部１１を覆い、下端を軸に開閉するフタ部１２と、フタ部１２の開口から露出して設けられ、浴室２内に人が存在するか否かを検出する人感センサ１３と、入浴状況あるいは機器状態を点灯状態を変化することによって表示する点灯表示部１４とを備えている。ここで、フタ部１２は、閉状態時には、リモコン本体の外殻の一部を構成し、頻繁に使用することのない操作スイッチを隠して入浴者に提供する情報を最小限としている。
【００１４】
点灯表示部１４は、フタ部１２の上辺に隣接して設けられ、図３の断面図に示すように、基板１５に横一列に設けられたＬＥＤ等からなる複数の発光部１６と、発光部１６の前面に配置され、ケース部８から露出して設けられた導光部材１７とから構成されている。導光部材１７は、透明または半透明の材料で、リモコン本体の端から端まで横長で一体に形成されている。この導光部材１７の前面側と下方側は、ケース部８やフタ部１２で覆われないことで、発光部１６の光を透過させる透光面１８が形成されている。
【００１５】
フタ部１２の上辺には、上奥から下手前に傾斜した傾斜面部１９が設けられている。この傾斜面部１９は光沢仕上げされており、傾斜面部１９の上方に位置する導光部材１７の下側の透光面１８からの光を前方に反射可能としている。
【００１６】
ここで、入浴状況を点灯状態を変化することによって表示する点灯表示部１４の動作について図４のフローチャートに基づいて説明する。ここでは、点灯表示部１４の複数の発光部１６はｎコ設けられている。
【００１７】
浴槽３への湯はりが完了して入浴可能な状態となった後、浴室リモコン装置４の人感センサ１３が人の在室を検出すると（ステップＳ１でＹ）、給湯機１は、台所リモコン装置５の表示部に浴室２への入室があった旨の表示を行うと共に、水位センサ７による浴槽３への人の入浴の有無を監視する（ステップＳ２）。
【００１８】
人が浴槽３へ入浴して、水位センサ７によって短時間に所定値以上の水位上昇が検出されると（ステップＳ２でＹ）、入浴タイマーＴのカウントを開始する（ステップＳ３）。
【００１９】
続くステップＳ４でカウント時間Ｔが所定の時間ｔ１を超えたか否かを判定し、超えていなければ（ステップＳ４でＮ）、水位センサ７による浴槽３からの人の出浴の有無を監視する（ステップＳ５）。なお、出浴があった場合の動作は後述するステップＳ１３で説明する。
【００２０】
カウント時間Ｔが所定の時間ｔ１を超えると（ステップＳ４でＹ）、点灯表示部１４の左端に設けられている第１発光部１６を点灯し（ステップＳ６）、入浴時間が所定の時間ｔ１を超えたことを表示する。このとき、点灯表示部１４は、第１発光部１６の正面範囲の導光部材１７の透光面１８から前方側と下方側に光が透過し、下方側の透光面１８からの光は、傾斜面部１９で反射され実質的な発光面積を広げて、浴槽３に深く入浴した状態の低い視点から浴室リモコン装置４を視認する入浴者の視認性を向上させている。
【００２１】
さらに時間が経過し、カウント時間Ｔが所定の時間ｔ２（＞ｔ１）を超えると（ステップＳ７でＹ）、点灯表示部１４の左端から２番目に設けられている第２発光部１６を点灯し（ステップＳ８）、入浴時間が所定の時間ｔ２を超えたことを表示する。このとき、点灯表示部１４は、第１発光部１６と第２発光部１６の正面範囲の導光部材１７の透光面１８から前方側と下方側に光が透過し、下方側の透光面１８からの光は、傾斜面部１９で反射され実質的な発光面積を広げて、浴槽３に深く入浴した状態の低い視点から浴室リモコン装置４を視認する入浴者の視認性を向上させている。
【００２２】
以後、同様のステップをｎコ目の第ｎ発光部１６まで行い（説明は省略する）、点灯表示部１４のｎコの発光部１６が全て点灯している状態で、カウント時間Ｔが所定の時間ｔｎ＋１（＞ｔｎ）を超えると（ステップＳ１０でＹ）、点灯表示部１４は全ての発光部１６を点滅させ（ステップＳ１２）、入浴時間がｔｎ＋１時間を超えた長時間の入浴になっていることを警告する。
【００２３】
ここで、点灯表示部１４の発光は、メイン表示部９とは独立しているため、入浴状況に関する情報は、多様な情報に埋没することなくわかりやすく伝えることができると共に、傾斜面部１９による反射光で実質的な発光面積を大きくしているので、浴室２に同時に複数人入室していた場合等、入浴者が浴室２の洗い場床に立った状態の高い視点からの視認性と、入浴者が浴槽３に深く入浴した状態の低い視点からの視認性の両方を同時に向上させることができる。また、傾斜面部１９は、上奥から下手前に傾斜した形状で点灯表示部１４の下側に設けられているため、点灯表示部１４の光を上向きに反射するため、高い視点からの視認性を好適に向上させることができる。
【００２４】
その後、一定時間以内に出浴を検出できないと（ステップＳ１３でＮ）、台所リモコン装置５で入浴時間が予め定めたｔｎ＋１時間を超過していることを同居家族等に音と光で警告報知するようにしている（ステップＳ１４）。
【００２５】
一方、ステップＳ５、Ｓ９、Ｓ１１、Ｓ１３にて、水位センサ７によって短時間に所定値以上の水位低下が検出されると、ステップＳ１５へ進み、入浴タイマーＴをリセットして点灯表示部１４を全て消灯し、ステップＳ２へ戻るようにしている。
【００２６】
このように、入浴者が入浴状況を容易に視認できるため、安全な入浴を喚起することができるものである。
【００２７】
なお、点灯表示部１４が発光により表示する入浴状況としては、ここまで説明した入浴時間に限られず、例えば浴槽水温度と入浴時間から算出される入浴者への入熱量の程度を表示するようにしてもよく、その他の入浴状況を表示するようにしてもよい。
【００２８】
また、点灯表示部１４は、入浴状況に代えて、メインスイッチ１０の操作指示に応じて自動で行われる浴槽３への湯はりの進捗状況の程度を表示したり、給湯機１として貯湯式給湯機を用いていた場合に、貯湯タンクの貯湯状態の程度を表示したり、機器状態を表示するようにしてもよいものである。
【００２９】
また、フタ部１２は、頻繁に使用することのない操作スイッチを隠して入浴者に提供する情報を最小限としているため、より一層点灯表示部１４からの表示が際だち、視認性を更に向上させるている。
【００３０】
本発明は、上記の実施形態に限定されるものではなく、発明の要旨を変更しない範囲で改変可能なものであり、上記実施形態ではフタ部１２の上辺に傾斜面部１９を設けたが、フタ部１２のない浴室リモコン装置４においては、外殻を構成するケース部８の点灯表示部１４の下辺に対応する位置に傾斜面部１９を設けるようにしてもよい。
【００３１】
また、住宅設備機器として給湯機１を例に説明したが、入浴に関係する住宅設備機器であれば本発明の範囲内である。
【符号の説明】
【００３２】
４  浴室リモコン装置
８  ケース部
９  メイン表示部
１１  操作スイッチ部
１２  フタ部
１４  点灯表示部
１６  発光部
１７  導光部材
１８  透光面
１９  傾斜面部
【図１】
2019120413.tif 000003
【図２】
2019120413.tif 000004
【図３】
2019120413.tif 000005
【図４】
2019120413.tif 000006